(57)【要約】【課題】フレキシブルプリント基板により表示部が押圧されるのを回避する。【解決手段】レンズ鏡筒２００と表示部３０２との間に撮像素子２０４が配設される。電池収納部５００の前側のプリント基板１００のＢｔｏＢコネクタ１０４に、撮像素子２０４に接続されるフレキシブルプリント基板２０１のＢｔｏＢコネクタ１０３を接続することで、撮像素子２０４とプリント基板１００とが電気的に接続される。基板２０１は、第１延出部２０１ｄから、接続部２０１ｊを介して続く第２延出部２０１ｅが、レンズ鏡筒２００と電池収納部５００との間を通ってプリント基板１００より前の位置まで延出する。第２延出部２０１ｅから引き出し部２０１ａが右方にプリント基板１００の前側にまで引き出され、引き出し部２０１ａの右側寄りの下部からコネクタ取付部２０１ｂが下方に延設される。【選択図】図１
2012134816.tif 000002
【特許請求の範囲】
【請求項１】
光軸方向を前後方向として本体に設けられるレンズ鏡筒と、
前記レンズ鏡筒の後面側に設けられる撮像素子と、
前記レンズ鏡筒の径方向に隣接して設けられる内装部材と、
前記内装部材の前側に設けられる配線基板と、
前記撮像素子の後側に設けられる表示部と、
前記配線基板の前側において該配線基板に設けられる第１のコネクタと、
一端部に前記撮像素子が接続されると共に他端部に第２のコネクタが設けられ、該第２のコネクタが前記第１のコネクタに接続されることで前記撮像素子と前記配線基板とを電気的に接続するフレキシブルプリント基板とを有し、
前記フレキシブルプリント基板は、前記一端部から前記表示部の前側で前記レンズ鏡筒の背面に沿って延出する第１延出部と、前記第１延出部から前記レンズ鏡筒と前記内装部材との間を通って前記配線基板より前の位置まで延出する第２延出部と、前記第２延出部から前記配線基板の前側に引き出される引き出し部とを有し、
前記他端部は、前記引き出し部から、該引き出し部の引き出し方向とは異なる方向に延設され、前記第２のコネクタは、前記他端部の後面に取り付けられることを特徴とする電子機器。
【請求項２】
前記他端部は、前記光軸方向から見て、前記引き出し部の引き出し方向に対して垂直な方向に延設されることを特徴とする請求項１記載の電子機器。
【請求項３】
前記第１延出部と前記第２延出部との接続部に対応する位置において前記本体に固定的な部分に設けられ、前記接続部の後方への変位を規制する第１の規制部を有することを特徴とする請求項１または２記載の電子機器。
【請求項４】
前記本体に固定的な部分に設けられ、前記第２延出部と係合して該第２延出部の後方への変位を規制する第２の規制部を有することを特徴とする請求項１〜３のいずれか１項に記載の電子機器。
【請求項５】
前記他端部は、前記引き出し部よりも撓みやすくなっていることを特徴とする請求項１〜４のいずれか１項に記載の電子機器。
【請求項６】
前記他端部の延設方向及び厚み方向の双方に直交する方向の該他端部の最小幅が、前記引き出し部の引き出し方向及び厚み方向の双方に直交する方向の該引き出し部の最小幅よりも小さいことを特徴とする請求項５記載の電子機器。
【請求項７】
前記フレキシブルプリント基板における信号パターンの各々の最大の配線幅は、前記引き出し部におけるものよりも前記他端部におけるものの方が細いことを特徴とする請求項５記載の電子機器。
【請求項８】
前記他端部に、厚みが前記引き出し部の最大厚みよりも薄い領域を設けたことを特徴とする請求項５記載の電子機器。
【発明の詳細な説明】
【技術分野】
【０００１】
本発明は、レンズ鏡筒及び撮像素子を備える電子機器に関する。
【背景技術】
【０００２】
従来、デジタルカメラ等の、レンズ鏡筒及び撮像素子を備える電子機器では、電子部品間の接続にフレキシブルプリント基板を用いるものが多い（特許文献１）。図９（ａ）は、デジタルカメラにおいて、撮像素子とプリント基板とをフレキシブルプリント基板で接続した例を示す要部の水平断面図である。
【０００３】
図９（ａ）に示すデジタルカメラは、レンズ鏡筒２００の後面側（背面側）にＣＣＤセンサ等の撮像素子２０４が設けられており、撮像素子２０４には、レンズ鏡筒２００のレンズ群を通過した被写体光が結像する。レンズ鏡筒２００の径方向の一側（右側）には、電池５０２を出し入れ自在に収納する電池収納部５００がレンズ鏡筒２００に隣接して設けられる。電池収納部５００及びレンズ鏡筒２００の背面側には、ＬＣＤ等の表示部３０２が設けられている。また、電池収納部５００の正面側（被写体側）には、プリント基板１００が設けられ、プリント基板１００のレンズ鏡筒２００側の端部には、ＢｔｏＢコネクタ１０４が取り付けられている。なお、ＢｔｏＢコネクタとは、基板同士を接続する基板対基板コネクタを意味している。
【０００４】
撮像素子２０４から延出したフレキシブルプリント基板２０１は、レンズ鏡筒２００と表示部３０２との間を通った後、レンズ鏡筒２００と電池収納部５００との間を通って前方に延びる。そしてさらに右方に延びて、その延出端がプリント基板１００の正面側に対向配置される。フレキシブルプリント基板２０１の延出端にはＢｔｏＢコネクタ１０３が設けられている。ＢｔｏＢコネクタ１０３をプリント基板１００側のＢｔｏＢコネクタ１０４に挿入することで、撮像素子２０４とプリント基板１００とがフレキシブルプリント基板２０１を介して電気的に接続される。
【先行技術文献】
【特許文献】
【０００５】
【特許文献１】特開平８−１４６５０１号公報
【発明の概要】
【発明が解決しようとする課題】
【０００６】
ところで、フレキシブルプリント基板２０１は、ＢｔｏＢコネクタ１０３をプリント基板１００側のＢｔｏＢコネクタ１０４へ挿入する際の前後方向のストローク分、長めに設計しておく必要がある。そのため、図９（ｂ）に示すように、ＢｔｏＢコネクタ１０３をＢｔｏＢコネクタ１０４に接続した状態では、フレキシブルプリント基板２０１に対して長さの余剰部分によって撓みが生じる。それに起因して引張力あるいは圧縮力が作用し、表示部３０２に押圧力が付加されるおそれがある（図９（ｂ）のＸ部）。表示部３０２にかかる押圧力が大きすぎると、表示画面にモアレが発生するおそれがある。
【０００７】
本発明は上記従来技術の問題を解決するためになされたものであり、その目的は、フレキシブルプリント基板により表示部が押圧されるのを回避することができる電子機器を提供することにある。
【課題を解決するための手段】
【０００８】
上記目的を達成するために本発明は、光軸方向を前後方向として本体に設けられるレンズ鏡筒と、前記レンズ鏡筒の後面側に設けられる撮像素子と、前記レンズ鏡筒の径方向に隣接して設けられる内装部材と、前記内装部材の前側に設けられる配線基板と、前記撮像素子の後側に設けられる表示部と、前記配線基板の前側において該配線基板に設けられる第１のコネクタと、一端部に前記撮像素子が接続されると共に他端部に第２のコネクタが設けられ、該第２のコネクタが前記第１のコネクタに接続されることで前記撮像素子と前記配線基板とを電気的に接続するフレキシブルプリント基板とを有し、前記フレキシブルプリント基板は、前記一端部から前記表示部の前側で前記レンズ鏡筒の背面に沿って延出する第１延出部と、前記第１延出部から前記レンズ鏡筒と前記内装部材との間を通って前記配線基板より前の位置まで延出する第２延出部と、前記第２延出部から前記配線基板の前側に引き出される引き出し部とを有し、前記他端部は、前記引き出し部から、該引き出し部の引き出し方向とは異なる方向に延設され、前記第２のコネクタは、前記他端部の後面に取り付けられることを特徴とする。
【発明の効果】
【０００９】
本発明によれば、フレキシブルプリント基板により表示部が押圧されるのを回避することができる。
【図面の簡単な説明】
【００１０】
【図１】本発明の一実施の形態に係る電子機器の斜視図である。
【図２】デジタルカメラの要部（左右方向中間部）の水平断面図である。
【図３】デジタルカメラの制御構成を示すブロック図である。
【図４】レンズ鏡筒、プリント基板、フレキシブルプリント基板を組み付けた状態を示す本デジタルカメラの正面図、Ａ矢視図（右側面図）である。
【図５】レンズ鏡筒の右端部後部近傍の拡大水平断面図である。
【図６】フレキシブルプリント基板の展開背面図、撮像素子近傍を背面から見た透視図である。
【図７】第１、第２の変形例に係るフレキシブルプリント基板を採用したデジタルカメラの要部の正面図である。
【図８】第３の変形例に係るフレキシブルプリント基板の配線パターンを示す図、第４の変形例に係るフレキシブルプリント基板を採用したデジタルカメラの要部の正面図である。
【図９】従来のデジタルカメラにおいて、撮像素子とプリント基板とをフレキシブルプリント基板で接続した例を示す要部の水平断面図である。
【発明を実施するための形態】
【００１１】
以下、本発明の実施の形態を図面を参照して説明する。
【００１２】
図１は、本発明の一実施の形態に係る電子機器の斜視図である。この電子機器は、一例としてデジタルカメラとして構成される。図１（ａ）は、外装カバー、ＬＣＤ等の表示部、ストロボ等を取り外した状態で正面側から見たデジタルカメラの斜視図である。図１（ｂ）は、背面側から見たデジタルカメラの斜視図である。図１（ｃ）は、フレキシブルプリント基板を取り外した状態で正面側から見たデジタルカメラの斜視図である。
【００１３】
このデジタルカメラは、レンズ鏡筒２００を有する。以降、レンズ鏡筒２００の光軸方向を前後方向とし、被写体側（レンズ鏡筒２００の正面側）を前側と呼称する。左右方向については撮影者から見た方向で呼称する。例えば、図１（ａ）、（ｃ）では、前面、上面及び左側面が見えている。
【００１４】
図２は、デジタルカメラの要部（左右方向中間部）の水平断面図である。
【００１５】
図２に示すように、デジタルカメラは、正面側（前側）にレンズ鏡筒２００が設けられ、レンズ鏡筒２００の背面側（後面側）には、ＣＣＤセンサ等の撮像素子２０４が設けられている。レンズ鏡筒２００の径方向に隣接して、電池５０２を出し入れ自在に収納する電池収納部５００が設けられる。この例では、電池収納部５００は、レンズ鏡筒２００の右側に配置される。電池収納部５００は、ビス等によりメインシャーシ６００に固定される。
【００１６】
電池収納部５００及び撮像素子２０４の後側には、ＬＣＤ等の表示部３０２が設けられる。電池収納部５００の正面側には、プリント基板１００が設けられている（図１も参照）。ここで、電池収納部５００は、本発明の内装部材の一例に相当し、また、プリント基板１００は、本発明の配線基板の一例に相当する。
【００１７】
プリント基板１００の背面側には、メモリカード等の記録媒体１０１が着脱自在に装着されるカードコネクタ１０２が実装されている。カードコネクタ１０２は、装着された記録媒体１０１の信号を読み書きする。記録媒体１０１に代えて、内蔵メモリを備えるようにしてもよい。プリント基板１００の、レンズ鏡筒２００に近い側の前側端部には、基板間接続用コネクタであるＢｔｏＢコネクタ（第１のコネクタ）１０４が実装されている。プリント基板１００の正面側には、本カメラ全体の制御を司るＣＰＵ１０５が実装されている（図１（ａ）、（ｃ））。また、本カメラはフレキシブルプリント基板２０１を備える。
【００１８】
図３は、デジタルカメラの制御構成を示すブロック図である。
【００１９】
図３に示すように、本デジタルカメラは、撮像信号の処理や変換を行う撮像制御部１０６、レンズ鏡筒２００のレンズ群２０３の駆動を制御するレンズ制御部２０２を備える。これらは、プリント基板１００の正面側に実装される（図１、２には現れず）。
【００２０】
また、プリント基板１００には、メモリ１１０が実装されており、メモリ１１０には、ユーザによる設定情報や出荷時の調整値等、デジタルカメラの電源がＯＦＦの間も保持すべきデータが格納されている。ＣＰＵ１０５は、操作部１０８でのユーザ操作に応じて、撮影動作開始の指示を撮像制御部１０６やレンズ制御部２０２に与えたり、撮影と再生のモードの切り換え処理等の各種制御を行ったりする。
【００２１】
また、図３に示すように、ＣＰＵ１０５は、レンズ制御部２０２によりレンズ鏡筒２００のレンズ群２０３を駆動すると、レンズ群２０３を通した被写体光が撮像素子２０４の撮像面に結像する。撮像素子２０４の撮像面に結像した被写体光は、画像信号に光電変換され、フレキシブルプリント基板２０１を介してプリント基板１００の撮像制御部１０６に伝送される。
【００２２】
ＣＰＵ１０５は、撮像制御部１０６によりフレキシブルプリント基板２０１を介して撮像素子２０４を駆動することで、光電変換された画像信号を取得し、Ａ／Ｄ変換部１０７でそれをデジタル信号に変換する。また、ＣＰＵ１０５は、Ａ／Ｄ変換された画像信号に対して信号処理を施し、画像データとして、カードコネクタ１０２を介して記録媒体１０１（図２）に出力する。撮影時あるいは再生時には、ＣＰＵ１０５は、表示部３０２に画像データを出力し、これにより、表示部３０２の表示画面に画像データが表示される。
【００２３】
ところで、ＣＰＵ１０５は、配線を交差させないようにするため、プリント基板１００の中央付近に配置され、撮像素子２０４とはほぼ同じ高さに位置する。撮像素子２０４はカメラ背面付近に位置するが、ＢｔｏＢコネクタ１０４がカメラ前面付近に位置する。また、撮像素子２０４は左右方向左寄りに位置するが、ＢｔｏＢコネクタ１０４は右寄りに位置する。このような状況において、撮像素子２０４とプリント基板１００とを電気的に接続するフレキシブルプリント基板２０１の配置の工夫について説明する。
【００２４】
図４（ａ）は、レンズ鏡筒２００、プリント基板１００、フレキシブルプリント基板２０１を組み付けた状態を示す本デジタルカメラの正面図である。図４（ｂ）は、図４（ａ）のＡ矢視図（右側面図）である。図５（ａ）、（ｂ）は、レンズ鏡筒２００の右端部後部近傍の拡大水平断面図である。図６（ａ）は、フレキシブルプリント基板２０１の展開背面図である。図６（ｂ）は、フレキシブルプリント基板２０１の撮像素子２０４近傍を背面から見た透視図である。
【００２５】
図６（ａ）に示すように、フレキシブルプリント基板２０１は、一端部である撮像素子取付部２０１ｃから他端部であるコネクタ取付部２０１ｂまで、シート状で幅広に一体に構成され、可撓性を有する。配設状態における撮像素子取付部２０１ｃの前面に撮像素子２０４が取り付けられ（図２も参照）、コネクタ取付部２０１ｂの後面にＢｔｏＢコネクタ（第２のコネクタ）１０３が取り付けられている（図２、図４（ｂ）も参照）。コネクタ取付部２０１ｂの前面には、コネクタ補強部２０１ｆが配設される（図１（ａ）、図２、図４）。
【００２６】
撮像素子取付部２０１ｃは、第１延出部２０１ｄ、第２延出部２０１ｅ、引き出し部２０１ａを介してコネクタ取付部２０１ｂに繋がっている。第１延出部２０１ｄは、撮像素子取付部２０１ｃから第２延出部２０１ｅに向かって斜め上方に傾斜している。引き出し部２０１ａは第２延出部２０１ｅに隣接し、コネクタ取付部２０１ｂは引き出し部２０１ａから下方にＬ字状に延設されている。配設状態においては、第２延出部２０１ｅだけは光軸方向に沿って延在する。第２延出部２０１ｅの引き出し部２０１ａ寄りの位置において、幅方向外側に、係合片である２つのストッパ部２０１ｇが延設形成されている。
【００２７】
図２に示すように、フレキシブルプリント基板２０１は、次のような経路で配設される。まず、レンズ鏡筒２００と表示部３０２との間において、撮像素子取付部２０１ｃから右方に延出する第１延出部２０１ｄが、レンズ鏡筒２００の外形と電池収納部５００とが接する部分を迂回するように延出する。第１延出部２０１ｄは、撮像素子取付部２０１ｃよりも僅かに後方の位置で上下及び左右方向に平行に延出する。図示するように、略円筒形状のレンズ鏡筒２００と略直方体形状の電池収納部５００とを、レンズ鏡筒２００の径方向に並べて配置している。レンズ鏡筒２００と電池収納部５００とを極力接近させることで、デジタルカメラの外形を小型化することができる。このため、レンズ鏡筒２００の上下方向の中心は電池収納部５００に接するように配置している。したがって、第１延出部２０１ｄは図１（ｂ）に図示するように、レンズ鏡筒２００の上下方向の中心を迂回するために形成されている。フレキシブルプリント基板２０１のうち、レンズ鏡筒２００と表示部３０２とに挟まれた第１延出部２０１ｄが、最も表示部３０２に近接する。すなわち、第１延出部２０１ｄは表示部３０２の前側でレンズ鏡筒２００の背面に沿って延出する。
【００２８】
フレキシブルプリント基板２０１は、第１延出部２０１ｄからレンズ鏡筒２００の背面を抜けると、湾曲した接続部２０１ｊを介して前方に直角に折れ曲がり、第２延出部２０１ｅに続く（図５）。すなわち、第１延出部２０１ｄの右端からＲ形状の接続部２０１ｊを介して繋がる第２延出部２０１ｅが、レンズ鏡筒２００と電池収納部５００との間を通って光軸方向前方に延びる。そして、第２延出部２０１ｅは、前後方向におけるプリント基板１００より前の位置まで延出する（図２、図４（ｂ））。
【００２９】
第２延出部２０１ｅがプリント基板１００の前に達すると、湾曲して右方に直角に折れ曲がり、引き出し部２０１ａに続く。すなわち、引き出し部２０１ａは、第２延出部２０１ｅから右方にプリント基板１００の前側にまで引き出される。引き出し部２０１ａは、撮像素子取付部２０１ｃと平行になっている。第１延出部２０１ｄと第２延出部２０１ｅとの接続部２０１ｊだけでなく、第２延出部２０１ｅと引き出し部２０１ａとの直角の折り曲げ部分にも、配線パターンが切れないように最小限のＲ（丸み）形状が付くようになっている。
【００３０】
引き出し部２０１ａの右側寄りの下部からコネクタ取付部２０１ｂが下方に延設される。すなわち、光軸方向から見て、第２延出部２０１ｅからの、引き出し部２０１ａの引き出し方向（右方）に垂直な方向である下方にコネクタ取付部２０１ｂは延設されている。
【００３１】
ここで、フレキシブルプリント基板２０１における配線パターンは、幅方向に並列に複数の信号パターンが並ぶ形態となっている。第２延出部２０１ｅでは配線パターンが左右方向に沿う。コネクタ取付部２０１ｂでは上下方向に沿う。引き出し部２０１ａにおいては、配線パターンは途中で向きを変え、第２延出部２０１ｅに近い側の領域では左右方向に沿うが、コネクタ取付部２０１ｂに近い側の領域では上下方向に沿う。
【００３２】
このようにしてフレキシブルプリント基板２０１が配設された状態では、図２に示すように、引き出し部２０１ａ、コネクタ取付部２０１ｂ、コネクタ補強部２０１ｆはいずれもプリント基板１００の前側に位置し、プリント基板１００とほぼ平行になる。フレキシブルプリント基板２０１のＢｔｏＢコネクタ１０３をプリント基板１００のＢｔｏＢコネクタ１０４に前方から挿入接続することにより、撮像素子２０４とプリント基板１００とがフレキシブルプリント基板２０１を介して電気的に接続される。
【００３３】
ＢｔｏＢコネクタ１０３をＢｔｏＢコネクタ１０４に接続する「コネクタ連結」の際、コネクタ取付部２０１ｂの、ＢｔｏＢコネクタ１０３が設けられている先端部分は後方に変位することになる。すると、主としてコネクタ取付部２０１ｂの、特に幅方向（左右方向）の狭い部分が撓む。これは、ＢｔｏＢコネクタ１０３を、引き出し部２０１ａに設けるのではなく、引き出し部２０１ａから引き出されたコネクタ取付部２０１ｂに設けたことによる。さらに、引き出し部２０１ａの引き出し方向とコネクタ取付部２０１ｂの延設方向とが異なっている（直交している）ことによる。特に、第２延出部２０１ｅと引き出し部２０１ａとの接続部からＢｔｏＢコネクタ１０３までの実距離は、途中で直角に曲がる経路を辿ることから、従来（図９）のように最短距離で結ぶ構成に比べて長くなっている。そのため、撓むことができる領域が長くなり、コネクタ連結時に第２延出部２０１ｅが後方に付勢される力が抑えられる。
【００３４】
これらにより、コネクタ連結時における第２延出部２０１ｅの後方への変位が小さくて済む。そのため、最も表示部３０２に近接する第１延出部２０１ｄが、表示部３０２に当接して押圧力を付加するようなことが回避される。すなわち、主にコネクタ取付部２０１ｂが撓んで、フレキシブルプリント基板２０１の余分な長さを吸収し、引張力あるいは圧縮力を吸収することで、表示部３０２に押圧力が付加されるのを防いでいる。
【００３５】
表示部３０２へのフレキシブルプリント基板２０１の干渉防止のための工夫はこれだけではない。まず、図４（ｂ）に示すように、レンズ鏡筒２００には、フレキシブルプリント基板２０１の第２延出部２０１ｅのストッパ部２０１ｇに対応して、フレキ抑え部（第２の規制部）７００が設けられている。フレキ抑え部７００は、第２延出部２０１ｅの幅方向両側を厚み方向に通って第２延出部２０１ｅの右側面に対向するよう延びている。フレキシブルプリント基板２０１の配設時には、フレキ抑え部７００の前側にストッパ部２０１ｇを位置させる。
【００３６】
仮に、コネクタ連結時に第２延出部２０１ｅが大きく後方に変位しようとしたとしても、ストッパ部２０１ｇがフレキ抑え部７００に突き当たって係合し、それ以上、第２延出部２０１ｅが後方に動くのが規制される。
【００３７】
さらにこれらに加えて、図５に示すように、電池収納部５００に凹曲面を有した規制部（第１の規制部）５０１が一体に設けられ、レンズ鏡筒２００の右端部後部に形成された凸Ｒ部２００ａと規制部５０１の凹曲面との間に空間ＣＬが形成されている。そして、第１延出部２０１ｄと第２延出部２０１ｅとの接続部２０１ｊが空間ＣＬに位置している。規制部５０１は、電池収納部５００に一体に形成してもよいが、別体として構成し、一体となるよう固定してもよい。ここで、図５（ａ）では、ＢｔｏＢコネクタ１０３をＢｔｏＢコネクタ１０４に連結する前の状態の一例、図５（ｂ）では、連結後の状態の一例を示している。
【００３８】
コネクタ連結前の状態では、接続部２０１ｊは、凸Ｒ部２００ａに近接または接触している（図５（ａ））。一方、コネクタ連結後には、第２延出部２０１ｅがいくぶん後退するため、Ｒ形状に湾曲した接続部２０１ｊが、空間ＣＬにおいて規制部５０１の側へ逃げるように変形する。仮に、第２延出部２０１ｅの後方への変位量が大きかったとしても、接続部２０１ｊは、規制部５０１に当接すると、それ以上、後方に変位することがない。従って、第１延出部２０１ｄも、後方にほとんど変位することがなく、表示部３０２への当接が免れる。
【００３９】
ところで、撮像素子２０４の実装時の左右方向のズレや取り付け誤差に起因して、接続部２０１ｊの湾曲の大きさに違いが生じることもあり得る。そのため、その違いの度合いが大き過ぎると、接続部２０１ｊが規制部５０１に強く当接して第１延出部２０１ｄが撓み、表示部３０２に当接するおそれがある。そこで、規制部５０１の凹曲面の位置乃至形状は、撮像素子２０４の実装時のズレ及び取付け誤差を吸収できるように設計されている。
【００４０】
すなわち、図６（ｂ）に示すように、撮像素子２０４における隣接する端子２０４ａ間の距離をピッチＳ（特に左右方向のピッチ）とする。ピッチＳよりも、空間ＣＬ内でフレキシブルプリント基板２０１の接続部２０１ｊが無理なく撓み変形できる量に相当する長さの方が長くなるように設定されている。すなわち、接続部２０１ｊが、凸Ｒ部２００ａに密着した状態と規制部５０１に密着した状態との、フレキシブルプリント基板２０１の長手方向における所要長さの差が、ピッチＳより大きく設定されている。
【００４１】
本実施の形態によれば、フレキシブルプリント基板２０１において、第１延出部２０１ｄから第２延出部２０１ｅがレンズ鏡筒２００と電池収納部５００との間を通ってプリント基板１００より前の位置まで延出する。そして、第２延出部２０１ｅから引き出し部２０１ａが右方にプリント基板１００の前側にまで引き出され、引き出し部２０１ａから、コネクタ取付部２０１ｂが、引き出し部２０１ａの引き出し方向とは異なる下方に延設される。これにより、ＢｔｏＢコネクタ１０３をＢｔｏＢコネクタ１０４に挿入して接続した際に、フレキシブルプリント基板２０１の主に第１延出部２０１ｄにより表示部３０２が押圧されるのを回避することができる。従って、表示部３０２の表示画面にモアレが発生するのを防止することができる。
【００４２】
さらに、規制部５０１やフレキ抑え部７００を設けたことで、第２延出部２０１ｅ乃至接続部２０１ｊの後方への変位量を規制できるので、第１延出部２０１ｄにより表示部３０２が押圧されることを一層確実に回避することができる。
【００４３】
ところで、本実施の形態では、フレキシブルプリント基板２０１のうち、プリント基板１００より前まで延出した位置（第２延出部２０１ｅの前端相当）からＢｔｏＢコネクタ１０３までの距離を長く確保できた。これにより、表示部３０２へのフレキシブルプリント基板２０１の干渉防止に有利になった。これは、第２延出部２０１ｅの前端相当の高さ方向の位置が、コネクタ取付部２０１ｂと同高でなく高い位置となっていることで実現されているとも言える。このような観点に限っていえば、第２延出部２０１ｅの前端相当の位置は、コネクタ取付部２０１ｂからなるべく離れているのがよく、コネクタ取付部２０１ｂより低くてもよい。
【００４４】
なお、規制部５０１は電池収納部５００に設けられ、フレキ抑え部７００はレンズ鏡筒２００に設けられた。しかしこれに限るものでなく、これらは、カメラの本体、すなわち、メインシャーシ６００に対して固定的な部分に設けられればよい。
【００４５】
ところで、コネクタ連結の際、主にコネクタ取付部２０１ｂが撓むが、引き出し部２０１ａも多少は撓むし、引き出し部２０１ａを介して第２延出部２０１ｅを後方に付勢する力も作用する。従って、コネクタ取付部２０１ｂが撓みやすいほど、引き出し部２０１ａに影響が及びにくくなり、第２延出部２０１ｅに対する後方への付勢力は小さくでき、第１延出部２０１ｄと表示部３０２との干渉回避に有利となる。そこで、引き出し部２０１ａに対してコネクタ取付部２０１ｂを撓みやすく構成するのが望ましい。そのような変形例を、図７、図８で例示しておく。
【００４６】
図７（ａ）、（ｂ）は、第１、第２の変形例に係るフレキシブルプリント基板２０１を採用したデジタルカメラの要部の正面図である。図８（ａ）は、第３の変形例に係るフレキシブルプリント基板２０１の配線パターンを示す図である。図８（ｂ）は、第４の変形例に係るフレキシブルプリント基板２０１を採用したデジタルカメラの要部の正面図である。これらの例では、上記説明した実施の形態に対して、フレキシブルプリント基板２０１の構成が異なり、その他の構成は同じである。
【００４７】
図７（ａ）に示す第１の変形例では、コネクタ取付部２０１ｂのうち、引き出し部２０１ａに連接している左右方向の幅が狭い部分の幅寸法が小さくなっている。具体的には、コネクタ取付部２０１ｂの延設方向（下方）及び厚み方向（前後方向）の双方に直交する方向（左右方向）の最小幅をＷｂとする。一方、引き出し部２０１ａの引き出し方向（右方）及び厚み方向（前後方向）の双方に直交する方向（上下方向）の最小幅をＷａとする。最小幅Ｗｂは最小幅Ｗａよりも小さく設定されている。
【００４８】
図７（ｂ）に示すように、第２の変形例では、コネクタ取付部２０１ｂのうち、引き出し部２０１ａに連接している左右方向の幅が狭い部分に、幅方向内側に食い込む切り欠き部２０１ｈが両側に形成される。２つの切り欠き部２０１ｈ間の最短距離は、左右方向の最小幅に相当することになり、それが引き出し部２０１ａの最小幅よりも小さく設定されている。
【００４９】
図８（ａ）に示す第３の変形例では、引き出し部２０１ａにおいては、第２延出部２０１ｅに繋がる各信号パターン２０１ａａの配線幅よりも、コネクタ取付部２０１ｂに繋がる各信号パターン２０１ｂｂの配線幅を細く（狭く）している。すなわち、引き出し部２０１ａでは途中で配線幅が変化しているが、コネクタ取付部２０１ｂの各信号パターン２０１ｂｂは一様に各信号パターン２０１ａａの配線幅よりも狭い。第２延出部２０１ｅの各信号パターン幅は各信号パターン２０１ａａと同じで広い。結局、信号パターンの各々の最大の配線幅は、引き出し部２０１ａにおけるものよりもコネクタ取付部２０１ｂにおけるものの方が細い。配線幅は太さで表現してもよい。
【００５０】
図８（ｂ）に示す第４の変形例では、コネクタ取付部２０１ｂに薄肉領域を設けて撓みやすくしている。具体的には、フレキシブルプリント基板２０１は信号パターンが片面に配線され、カバーレイが施された層構造となっている。そして、コネクタ取付部２０１ｂにおいて、配線されていない側の面にカバーレイが除去されているカバーレイ除去部２０１ｉを設ける。カバーレイ除去部２０１ｉが設けられた領域は薄くなり、他の部分より撓みやすくなる。
【００５１】
図８（ｂ）の例では、コネクタ取付部２０１ｂだけでなく引き出し部２０１ａにかけてカバーレイ除去部２０１ｉが設けられているが、コネクタ取付部２０１ｂにのみ設けてもよい。なお、厚みを薄くする手法はこの手法に限られず、コネクタ取付部２０１ｂに、引き出し部２０１ａの最大厚みよりも薄い領域を設ければよい。
【００５２】
ところで、コネクタ取付部２０１ｂの延設方向は、引き出し部２０１ａの引き出し方向に対して異なっていれば、それなりの効果はあるので、下方でなくてもよく、直角でなくてもよい。また、必ずしも光軸に垂直な方向でなくてもよい。
【００５３】
また、レンズ鏡筒２００の径方向に隣接して設けられる内装部材として電池収納部５００を例示したが、これに限るものではない。第２延出部２０１ｅは、レンズ鏡筒２００と電池収納部５００との間を通って光軸方向前方に延びるが、レンズ鏡筒２００とそれに隣接する内装部材との間を通ればよく、光軸と平行に延びることに限られない。
【００５４】
なお、本発明の構成は、上記例示したものに限定されるものではなく、材質、形状、寸法、形態、数、配置箇所等は、本発明の要旨を逸脱しない範囲において適宜変更可能である。また、電子機器としてデジタルカメラを例示したが、これに限定されず、レンズ鏡筒、撮像素子及び表示部を備える各種の電子機器、例えば、携帯型の情報端末等であってもよい。
【符号の説明】
【００５５】
１００  プリント基板
２００  レンズ鏡筒
２０１  フレキシブルプリント基板
２０１ａ  引き出し部
２０１ｂ  コネクタ取付部
２０１ｄ  第１延出部
２０１ｅ  第２延出部
２０４  撮像素子
３０２  表示部
５００  電池収納部
【図１】
2012134816.tif 000003
【図２】
2012134816.tif 000004
【図３】
2012134816.tif 000005
【図４】
2012134816.tif 000006
【図５】
2012134816.tif 000007
【図６】
2012134816.tif 000008
【図７】
2012134816.tif 000009
【図８】
2012134816.tif 000010
【図９】
2012134816.tif 000011